(57)【特許請求の範囲】
【請求項１】
前身頃用シート部と後身頃用シート部とに跨って股下形成部材が配置される着用物品の製造方法であって、
前記前身頃用シート部と前記後身頃用シート部のうちの何れか一方が第１シート部であり、前記第１シート部以外が第２シート部であり、
前記第１シート部は、前記股下形成部材における長手方向の一端部側の接着領域が接着される第１領域と、前記第１領域と連続する前記股下形成部材と接着されない第２領域とを備え、
前記第２シート部は、前記股下形成部材における長手方向における前記一端部と反対側の他端部側の接着領域が接着される第３領域と、前記第３領域と連続する前記股下形成部材と接着されない第４領域とを備え、
前記第２領域が前記第１領域、前記第３領域および前記第４領域のうちの少なくとも何れか１つの領域と重なった状態で、かつ、前記第２領域と前記第４領域とが重なることなく前記第２領域と前記第３領域とが重なる場合を含まない状態で、前記股下形成部材を、前記第１シート部と前記第２シート部とを跨いで配置し、前記第１領域に前記一端部側の接着領域を接着し、前記第３領域に前記他端部側の接着領域を接着し、
前記一端部側の接着領域と前記他端部側の接着領域のうちの何れか一方が前側接着領域であり、前記前側接着領域以外が後側接着領域であり、
前記後側接着領域は、前記前側接着領域より面積が大きい
着用物品の製造方法。
【請求項２】
前記前身頃用シート部と前記後身頃用シート部とを重ねて、前記股下形成部材の着用者の肌側を向く面が向き合うように二つ折りにし、
前記前身頃用シート部と前記後身頃用シート部における前記股下形成部材の折曲部の下側を股下方向に接合して切断し、
前記前身頃用シート部と前記後身頃用シート部における前記股下形成部材の左右両側に位置する一対の脚回り被覆部の外側縁部に相当する部分を接合して切断することにより、
前記前身頃用シート部および前記後身頃用シート部の上端部分に胴回り開口部を構成し、前記股下形成部材の左右両側に前記脚回り被覆部を構成する
請求項１に記載の着用物品の製造方法。
【請求項３】
前記前身頃用シート部および前記後身頃用シート部は、別々のシート体であり、
前記前身頃用シート部が前身頃用シート体であり、
前記後身頃用シート部が後身頃用シート体であり、
前記第２領域は、前記前身頃用シート体における股下側端部を含む領域であり、
前記第４領域は、前記後身頃用シート体における股下側端部を含む領域であり、
前記第２領域と前記第４領域とが重なった状態において、前記前身頃用シート体と前記後身頃用シート体とを跨いで前記股下形成部材が接着される
請求項１または２に記載の着用物品の製造方法。
【請求項４】
前記股下形成部材は、吸収性本体である
請求項１ないし３のうち何れか１項に記載の着用物品の製造方法。
【発明の詳細な説明】
【技術分野】
【０００１】
本発明は、前身頃用シート部と後身頃用シート部と、前身頃用シート部と後身頃用シート部とに跨って配置される股下形成部材とを備える着用物品の製造方法および着用物品に関する。
【背景技術】
【０００２】
着用物品としての使い捨ておむつは、矩形形状を有する前身頃シートおよび後身頃シートと、前身頃シートと後身頃シートとの間に配置される吸収性本体とを備えている。このおむつは、前身頃シートと後身頃シートの左右両端部が接合された状態で、上端部に、胴回り開口部が構成され、下端部に、吸収体の両側に一対の脚回り開口部が構成される。また、ボクサーパンツのように、着用者の鼠頸部から太股部分を覆う一対の脚回り被覆部を吸収性本体の左右両側に備え、脚回り被覆部の先端部に脚回り開口部を備えた使い捨ておむつが開発されている。このようなボクサーパンツ型の使い捨ておむつは、吸収性本体の両側に脚回り被覆部を備えることで、脚回り被覆部を備えない従来からの使い捨ておむつに比べて、脚回り開口部と鼠頸部との隙間が無くなり、脚回り開口部から排泄物が漏れることを抑制することができる（特許文献１参照）。
【０００３】
以上のようなおむつの製造方法では、原反から連続して送り出された後身頃用シート体に対して、吸収性本体の後側接着領域を接着し、次いで、吸収性本体を二つ折りにする。そして、吸収性本体の前端部を原反から連続して送り出された前身頃用シート体に対して、吸収性本体の前側接着領域を接着するようにしている。この後、前身頃用シート体および後身頃用シート体の左右両端部をホットメルト接着剤で接着するとともに、当該接着箇所を切断する。また、吸収性本体の折曲部の下側の股下部をホットメルト接着剤で接着するとともに当該箇所を股下方向に切断する。これにより、上端部に胴回り開口部が構成され、吸収性本体の左右両側に脚回り被覆部を備えたボクサーパンツ型のおむつが製造される。
【先行技術文献】
【特許文献】
【０００４】
【特許文献１】特開２０１４−１８８１０９号公報
【発明の概要】
【発明が解決しようとする課題】
【０００５】
しかしながら、特許文献１に記載された製造方法は、後身頃用シート体に対して吸収性本体の後端部を接着し二つ折りにしてから前端部を前身頃用シート体に接着する。吸収性本体は、パルプとＳＡＰで構成されていることから、二つ折りにしても、二つ折りされた状態から元の状態に戻ろうとする復元力を有する。このため、吸収性本体は、二つ折りにされてから、前身頃用シート体が接着されるまでの間に復元力によって元の開いた状態に戻ろうとしてしまう。生産効率を向上させるために、高速搬送した場合には、空気抵抗などによっても、吸収性本体は、元の開いた状態に戻ろうとしてしまう。このような場合、前身頃用シート体に対する吸収性本体の前側接着領域の接着位置がずれるおそれがある。前身頃シートや後身頃シートにおける所定の接着領域に吸収性本体が接着されない場合には、排泄物が漏れる原因となる。
【０００６】
さらに、おむつの股下において、前身頃シートと後身頃シートとに跨って配置された股下シート体に対して取り替え用の吸収性本体を取り付ける場合にあっても、以上のような同様な課題が存在する。このような股下シート体にあっても二つ折りされた際には復元力が発現するからである。
【０００７】
本発明は、以上のような課題に鑑みてなされたものであり、股下形成部材を、前身頃シート部および後身頃シートに対して正確に接着することを可能とした着用物品の製造方法および着用物品を提供することを目的とする。
【課題を解決するための手段】
【０００８】
上記課題を解決するための吸収性物品の製造方法は、前身頃用シート部と後身頃用シート部とに跨って股下形成部材が配置される着用物品の製造方法であって、前記前身頃用シート部と前記後身頃用シート部のうちの何れか一方が第１シート部であり、前記第１シート部以外が第２シート部であり、前記第１シート部は、前記股下形成部材における長手方向の一端部側の接着領域が接着される第１領域と、前記第１領域と連続する前記股下形成部材と接着されない第２領域とを備え、前記第２シート部は、前記股下形成部材における長手方向における前記一端部と反対側の他端部側の接着領域が接着される第３領域と、前記第３領域と連続する前記股下形成部材と接着されない第４領域とを備える。そして、前記第２領域が前記第１領域、前記第３領域および前記第４領域のうちの少なくとも何れか１つの領域と重なった状態で、前記股下形成部材を、前記第１シート部と前記第２シート部とを跨いで配置し、前記第１領域に前記一端部側の接着領域を接着し、前記第３領域に前記他端部側の接着領域を接着する。
上記構成によれば、前身頃用シート部および後身頃用シート部における所定の接着領域に対して股下形成部材を正確に接着することができる。
【０００９】
上記着用物品の製造方法において、前記前身頃用シート部と前記後身頃用シート部とを重ねて、前記股下形成部材の着用者の肌側を向く面が向き合うように二つ折りにし、前記前身頃用シート部と前記後身頃用シート部における前記股下形成部材の折曲部の下側を股下方向に接合して切断し、前記前身頃用シート部と前記後身頃用シート部における前記股下形成部材の左右両側に位置する一対の脚回り被覆部の外側縁部に相当する部分を接合して切断することにより、前記前身頃用シート部および前記後身頃用シート部の上端部分に胴回り開口部を構成し、前記股下形成部材の左右両側に前記脚回り被覆部を構成するようにしてもよい。
上記構成によれば、脚回り被覆部を備えたボクサーパンツ型の使い捨て着用物品を製造することができる。
【００１０】
上記着用物品の製造方法において、前記前身頃用シート部および前記後身頃用シート部は、別々のシート体であり、前記前身頃用シート部が前身頃用シート体であり、前記後身頃用シート部が後身頃用シート体であり、前記第２領域は、前記前身頃用シート体における股下側端部を含む領域であり、前記第４領域は、前記後身頃用シート体における股下側端部を含む領域であり、前記第２領域と前記第４領域とが重なった状態において、前記前身頃用シート体と前記後身頃用シート体とを跨いで前記股下形成部材が接着されるようにしてもよい。
上記構成によれば、別々の部材である前身頃用シート体および後身頃用シート体に対して、股下形成部材を接着することができる。
【００１１】
上記着用物品の製造方法において、前記股下形成部材は、吸収性本体としてもよい。
上記構成によれば、着用物品としての吸収性物品を製造することができる。
【００１２】
吸収性物品は、前身頃を構成する前身頃シートと、後身頃を構成する後身頃シートと、前記前身頃シートと前記後身頃シートとに跨って配置される股下形成部材とを備え、前記股下形成部材は、前記前身頃シートに接着されている前側接着領域と、前記後身頃シートに接着されている後側接着領域と、前記前側接着領域と前記後側接着領域との間の股下領域であって、前記股下領域の両側に構成される左右一対の脚周り開口部よりも上側に位置する前記股下領域とを備え、前記前側接着領域および前記後側接着領域のうちの少なくとも何れか一方の接着領域は、前記股下領域の方向に突出した股下接着領域と、前記股下接着領域の左右両側に位置する股下非接着領域とを備える。
上記構成によれば、前側接着領域および後側接着領域のうちの少なくとも何れか一方の接着領域に股下接着領域を設けるとともにその両側に股下非接着領域を設けるので、一対の脚回り開口部を大きくすることができるとともに、前身頃シートおよび後身頃シートに対する股下領域のずれを抑制することができる。
【００１３】
上記着用物品において、前記後側接着領域は、前記前側接着領域より面積が大きい構成としてもよい。
上記構成によれば、嵩の大きい大便などの排泄物を保持する後側接着領域を大きくして、後側接着領域が後身頃シートに対して剥がれることを抑制することができる。
【発明の効果】
【００１４】
本発明によれば、股下形成部材を、前身頃シート部および後身頃シートに対して正確に接着することを可能とした着用物品の製造方法を提供することができる。また、股下形成部材が前身頃シート部および後身頃シートに対して正確に接着された着用物品を提供することができる。
【図面の簡単な説明】
【００１５】
【図１】ボクサーパンツ型の使い捨ておむつの斜視図。
【図２】ボクサーパンツ型の使い捨ておむつの正面図。
【図３】図２における３−３断面図。
【図４】吸収性本体の前身頃シートおよび後身頃シートに対する接着領域を示す正面図。
【図５】おむつの製造工程を示す模式図。
【図６】前身頃用シート体と後身頃用シート体の第１領域から第４領域の位置を説明する断面図。
【図７】前身頃用シート体と後身頃用シート体の各下端部が重なった状態の一実施形態を示す断面図。
【図８】（ａ）は、前身頃用シート体の第２領域が第１領域と重なるように折り返され、後身頃用シート体の第４領域も第３領域と重なるように折り返された変形例を示す断面図であり、（ｂ）は、前身頃用シート体における第１領域と第２領域とを真っ直ぐな状態にし、後身頃用シート体の第４領域を折り返した変形例を示す断面図であり、（ｃ）は、前身頃用シート体および後身頃用シート体を真っ直ぐな状態で重ねた変形例を示す断面図であり、（ｄ）は、前身頃用シート体および後身頃用シート体とを１枚のシート体とした変形例を示す断面図。
【発明を実施するための形態】
【００１６】
図面を参照して本発明における吸収性物品を具体化した一実施形態におけるパンツ型使い捨ておむつについて説明する。
〔ボクサーパンツ型使い捨ておむつ〕
図１に示すように、パンツ型使い捨ておむつ１０（以下、単に「おむつ１０」という。）は、ボクサーパンツ型のおむつであり、人体の腹部形状に追従する例えば矩形形状を有する前身頃シート１０Ｆと、人体の背部形状に追従する例えば矩形形状を有する後身頃シート１０Ｒと、前身頃シート１０Ｆおよび後身頃シート１０Ｒをつなぐ吸収性本体１１とを備えている。なお、図２では、ボクサーパンツ型の使い捨ておむつの正面構造を示す。
【００１７】
前身頃シート１０Ｆと後身頃シート１０Ｒとは、胴回り方向である左右両端部が接合されてサイド接合部１０Ｊを構成する。また、前身頃シート１０Ｆと後身頃シート１０Ｒとは、着用者の股下に位置することになる下端部において、胴回り方向における左右中央部に、上端部側に向かってスリット１０Ｓが設けられている。スリットの１０Ｓの周囲には、股下接合部１０Ｉが構成されている。そして、接合された前身頃シート１０Ｆと後身頃シート１０Ｒとは、内側に胴回り部１０Ｗを構成し、上端部分には、人体の胴周りの部分を取り囲む胴回り開口部１０Ａを構成している。また、前身頃シート１０Ｆおよび後身頃シート１０Ｒにおける左右両端部および下端部、ならびに、スリット１０Ｓの両側には、人体の太股部分を被覆する筒状形状をした左右一対の脚回り被覆部１０Ｃを構成している。一対の脚回り被覆部１０Ｃは、下端部に、太股部分を取り囲む形状を有した左右一対の脚回り開口部１０Ｌを構成している。
【００１８】
前身頃シート１０Ｆおよび後身頃シート１０Ｒは、液不透過性材料や液透過性材料で形成された不織布などが用いられている。不織布は、ポリオレフィン（ポリエチレン、ポリプロピレンなど）、ポリエステル、脂肪族ポリアミドなどの熱可塑性樹脂から少なくとも１つ選ばれる材料で形成された合成繊維などによって構成されている。また、前身頃シート１０Ｆおよび後身頃シート１０Ｒは、伸縮性不織布などで構成してもよい。なお、このおむつ１０において、専ら排泄物を吸収し保持する機能は、吸収性本体１１が有することとしているので、前身頃シート１０Ｆおよび後身頃シート１０Ｒは、液不透過性材料や液透過性材料の何れの材料で形成されていてもよい。
【００１９】
前身頃シート１０Ｆおよび後身頃シート１０Ｒは、胴回り部１０Ｗの内で胴回り開口部１０Ａに近い上側領域に、胴回り方向に沿って上部弾性部材１２Ｕが配置されている。また、上側領域に対して下側に位置する下部領域には、胴回り方向に沿って下部弾性部材１２Ｄが配置されている。上部弾性部材１２Ｕは、ウェストギャザーを構成し、下部弾性部材１２Ｄは、タミーギャザーを構成する。タミーギャザーは、ウェストギャザーと相俟って、おむつのフィット性やずり下がり防止効果を一層優れたものとする。また、脚回り被覆部１０Ｃの部分にも、脚回り方向に沿って弾性部材１２Ｌが配置され、脚回り被覆部１０Ｃと太股部分との密着性を向上させて、排泄物も漏れを抑制している。
【００２０】
図３に示すように、股下形成部としての吸収性本体１１は、液透過性を有したトップシート１３と、吸収体１４と、液不透過性を有したバックシート１５とを備えている。トップシート１３は、着用者の肌と接する内側に配置され、バックシート１５は、外側に配置される。そして、おむつ１０において、外側から、バックシート１５、吸収体１４、トップシート１３の順に重なっている。なお、バックシート１５の外側には、手触り感を向上させるために、不織布を配置してもよい。
【００２１】
トップシート１３を形成する材料は、例えば、織布、不織布、多孔性フィルムなどから選ばれる１以上の材料である。また、トップシート１３は、例えば、ポリプロピレン、ポリエチレン、ポリエステル、ナイロンのような熱可塑性樹脂の繊維であって親水化処理が施された繊維から構成される液透過性を有した不織布などが用いられる。バックシート１５を形成する材料は、例えば、液不透過性を有したポリエチレン樹脂製のフィルムである。バックシート１５は、通気性を確保するため、微細孔が多数形成されている。
【００２２】
吸収体１４を形成する材料は、例えば、フラッフパルプ、高吸収性ポリマー、親水性シートなどの吸収性材料である。吸収体１４は、前身頃シート１０Ｆおよび後身頃シート１０Ｒに跨るように細長い帯形状を有している。吸収体１４は、長手方向に沿った両側縁部の中央部分に着用者の鼠頸部に対応して窪み部を備えていてもよい。そして、吸収体１４は、不織布やティシュなどで構成されたコアラップシートによって包まれ、トップシート１３とバックシート１５との間に配置され接着される。
【００２３】
図３および図４に示すように、以上のように構成された吸収性本体１１は、長手方向における前端部において、前身頃シート１０Ｆの内面と接着される前側接着領域１７を備えており、前端部と反対側の後端部において、後身頃シート１０Ｒの内面と接着される後側接着領域１８を備えている。前側接着領域１７は、ほぼ着用者の腹部に相当する領域に配置され、後側接着領域１８は、ほぼ着用者の背部や臀部に相当する領域に配置されている。また、前側接着領域１７と後側接着領域１８との間は、股下領域１９となる。前側接着領域１７と後側接着領域１８は、ホットメルト接着剤などの接着剤３３によって、前身頃シート１０Ｆと後身頃シート１０Ｒに接着される。股下領域１９は、前身頃シート１０Ｆおよび後身頃シート１０Ｒに対して非接着部である。
【００２４】
ここで、後側接着領域１８は、前側接着領域１７よりも大面積とされている。吸収性本体１１における後側接着領域１８は、臀部に相当する領域であり、小便に対して嵩のある大便を保持する領域である。そこで、後側接着領域１８は、前側接着領域１７よりも大面積とすることで、後身頃シート１０Ｒに対する接着力を高め、吸収性本体１１の他端部側が後身頃シート１０Ｒに対して剥がれることを抑制している。
【００２５】
また、前側接着領域１７および後側接着領域１８は、股下領域１９に隣接する縁部であって幅方向中央において、股下領域１９に突出して、股下接着領域２１を備えている。そして、股下接着領域２１の両側は、股下非接着領域２０とされている。なお、前側接着領域１７の股下接着領域２１の先端部と後側接着領域１８の股下接着領域２１の先端部とは、繋がっていないことが好ましい。
【００２６】
以上のように構成されたおむつ１０は、一対の脚回り開口部１０Ｌより着用者の脚が挿入され着用される。着用者が履いた状態において、吸収性本体１１の股下領域１９は、股下から露出し、また、着用者の股下が当接した状態となる。股下領域１９は、前身頃シート１０Ｆと後身頃シート１０Ｒに対して股下非接着領域２０である。したがって、一対の脚回り開口部１０Ｌは、大きくなり、着用者は、脚回り開口部１０Ｌから脚を入れやすくなる。また、吸収性本体１１は、股下接着領域２１で前身頃シート１０Ｆと後身頃シート１０Ｒに対して接着剤３３によって接着されている。したがって、着用者が歩行や脚の曲げ伸ばしなどの股関節を大きく動かす動作をしたときであっても、股下領域１９が脚回り被覆部１０Ｃの移動に引きずられて前身頃シート１０Ｆや後身頃シート１０Ｒに対してずれにくくなる。これにより、着用者の鼠蹊部に股下領域１９との間に隙間ができにくくなり、排泄物が漏れにくくなる。
【００２７】
また、車椅子などを使用して座位姿勢が長時間続く場合などには、着用者の身体が車椅子などの着座部に対してずり下がり、おむつ１０が腹側に逆にずり上がってしまうことがある。このような場合であっても、おむつ１０は、脚回り被覆部１０Ｃを備えるため、着用者の下側臀部が露出してしまうことを防ぐことができ、座位姿勢が長時間続くような場合であっても、股下から排泄物が漏れにくくなる。
【００２８】
以上のようなおむつ１０によれば以下に列挙する効果を得ることができる。
（１）吸収性本体１１は、股下接着領域２１で前身頃シート１０Ｆと後身頃シート１０Ｒに対して接着されている。股下接着領域２１は、前側接着領域１７および後側接着領域１８に対して幅狭である。したがって、対の脚回り開口部１０Ｌが小さくなることを抑え、着用者が脚を入れにくくなることを抑制できる。
（２）股下接着領域２１で前身頃シート１０Ｆと後身頃シート１０Ｒに対して接着されている。したがって、股下領域１９は、前身頃シート１０Ｆや後身頃シート１０Ｒに対してずれにくくなり、鼠頸部などから排泄物が漏れることを抑制できる。
（３）後側接着領域１８は、前側接着領域１７よりも大面積とされ、後身頃シート１０Ｒに対する接着力を高めることで、吸収性本体１１の他端部側が後身頃シート１０Ｒに対して剥がれることを抑制することができる。
【００２９】
〔ボクサーパンツ型使い捨ておむつの製造方法〕
つぎに、以上のように構成されたおむつ１０の製造方法について説明する。
図５に示すように、製造ラインには、各原反から連続して前身頃用シート体３１と後身頃用シート体３２とが供給される。前身頃用シート部としての前身頃用シート体３１は、前身頃シート１０Ｆを構成する連続シート体であり、原反から送り出される。後身頃用シート部としての後身頃用シート体３２は、後身頃シート１０Ｒを構成する連続シート体であり、原反から送り出される。また、吸収性本体１１は別の製造ラインで製造される。
【００３０】
図６は、前身頃用シート体３１と後身頃用シート体３２の第１領域から第４領域の位置を説明する断面図である。前身頃用シート体３１および後身頃用シート体３２は、おむつ１０の股下側端部を構成する下端部が重なるように供給される。図６では、図中左側が前身頃用シート体３１であり、右側が後身頃用シート体３２である。そして、ここでは、第１シート部としての後身頃用シート体３２において、吸収性本体１１の後側接着領域１８が接着剤３３によって接着される領域が第１領域３４Ａであり、第１領域３４Ａと連続した股下側の下端部を含む領域が第２領域３４Ｂである。また、第２シート部としての前身頃用シート体３１において、吸収性本体１１の前側接着領域１７が接着剤３３によって接着される領域が第３領域３４Ｃであり、第３領域３４Ｃと連続した股下側の下端部を含む領域が第４領域３４Ｄである。
【００３１】
図７に示すように、図５に示す製造ラインでは、前身頃用シート体３１における第３領域３４Ｃと第４領域３４Ｄとが折り曲げられず真っ直ぐな状態にあり、後身頃用シート体３２における第１領域３４Ａに対して第２領域３４Ｂが吸収性本体１１とは反対側に折り返されている。そして、後身頃用シート体３２の第２領域３４Ｂは、前身頃用シート体３１の第４領域３４Ｄと上下に重ねられ、また、各下端部も揃えられる。また、第２領域３４Ｂおよび第４領域３４Ｄの下端部は、一部が第１領域３４Ａと重なっていてもよい。このような状態で、前身頃用シート体３１および後身頃用シート体３２は、製造ラインを搬送され、次いで、前身頃用シート体３１および後身頃用シート体３２の境界部３５を跨ぐように吸収性本体１１が配置される。
【００３２】
具体的には、吸収性本体１１は、長手方向が製造ラインの搬送方向に対して直交する状態で、股下領域１９の位置で境界部３５を跨ぐように、前身頃用シート体３１および後身頃用シート体３２の上に配置される。この際、吸収性本体１１の前側接着領域１７は、接着剤３３によって前身頃用シート体３１の第３領域３４Ｃに対して接着され、吸収性本体１１の後側接着領域１８は、接着剤３３によって後身頃用シート体３２の第１領域３４Ａに対して接着される。これと同時に、前側接着領域１７および後側接着領域１８の股下接着領域２１も接着剤３３によって前身頃用シート体３１および後身頃用シート体３２に対して接着される。
【００３３】
この後、前身頃用シート体３１および後身頃用シート体３２は、吸収性本体１１が二つ折りになるように折り返される。具体的には、前身頃用シート体３１および後身頃用シート体３２は、境界部３５の箇所で折り返され、これにより、吸収性本体１１は、着用者の肌側を向く面が向き合うように二つ折りにされる。吸収性本体１１の折曲部２９（図４参照）は、前身頃用シート体３１および後身頃用シート体３２の下端部から股下の寸法分だけ上側に位置する状態となる。
【００３４】
次いで、前身頃用シート体３１および後身頃用シート体３２は、ヒートシール接合や超音波シール接合などの接合手段によって、股下接合部１０Ｉに相当する部分が接合される。この後、股下接合部１０Ｉに相当する部分には、吸収性本体１１の折曲部２９より股下方向に垂下するようにスリット１０Ｓが形成される。
次いで、ヒートシール接合や超音波シール接合などの接合手段によって、サイド接合部１０Ｊ（脚回り被覆部１０Ｃの外側縁部）に相当する部分が接合される。この後、サイド接合部１０Ｊに相当する部分は、カッタによって切断される。
これにより、上端部には、胴回り開口部１０Ａが構成され、吸収性本体１１の両側には、脚回り被覆部１０Ｃおよび脚回り開口部１０Ｌが構成される。
【００３５】
以上のようなおむつ１０の製造方法によれば以下に列挙する効果を得ることができる。
（４）製造ラインにおいて、吸収性本体１１は、前身頃用シート体３１および後身頃用シート体３２の境界部３５を跨ぐように配置され、前身頃用シート体３１および後身頃用シート体３２に対してほぼ同時に接着される。したがって、吸収性本体１１を前身頃用シート体３１および後身頃用シート体３２の所定位置に正確に接着することができる。また、吸収性本体１１を接着した後において、高速搬送されても、吸収性本体１１の位置が前身頃用シート体３１および後身頃用シート体３２に対してずれることを抑制することができる。
【００３６】
（５）おむつ１０の脚回り被覆部１０Ｃおよび脚回り開口部１０Ｌをスリット１０Ｓを形成するだけで、容易に設けることができる。おむつ１０における吸収性本体１１の折曲部２９から脚回り開口部１０Ｌまでの長さである股下の寸法は、後身頃用シート体３２の第２領域３４Ｂの下端部と前身頃用シート体３１の第４領域３４Ｄの下端部とを揃えることで、第２領域３４Ｂと第４領域３４Ｄとが重なった部分の長さとすることができる。
【００３７】
なお、上記実施形態は以下のように適宜変更して実施することもできる。
・図７の例において、前身頃用シート体３１と後身頃用シート体３２との関係を逆にし、図中右側を前身頃用シート体３１とし、左側を後身頃用シート体３２としてもよい。
【００３８】
・図８（ａ）に示すように、後身頃用シート体３２の第２領域３４Ｂは、第１領域３４Ａに対して吸収性本体１１とは反対側に折り返され、前身頃用シート体３１の第４領域３４Ｄも、第３領域３４Ｃに対して吸収性本体１１とは反対側に折り返される。この際、脚回り被覆部１０Ｃの長さ（股下の寸法）を確保するため、第２領域３４Ｂの先端部は、第１領域３４Ａに重ねられ、第４領域３４Ｄの先端部は、第３領域３４Ｃに重ねられる。この場合、第２領域３４Ｂおよび第４領域３４Ｄの折り返し部から先端部までの長さがおむつ１０の股下の寸法となる。
【００３９】
・図８（ｂ）に示すように、前身頃用シート体３１における第３領域３４Ｃと第４領域３４Ｄとを折り曲げず真っ直ぐな状態にし、後身頃用シート体３２の第２領域３４Ｂは、第１領域３４Ａと重ならないように吸収性本体１１側に折り返される。これにより、第２領域３４Ｂは、第４領域３４Ｄと重なる。この場合、第２領域３４Ｂの折り返し部分は、吸収性本体１１と接着される第１領域３４Ａと重ならないようにする必要がある。なお、この例では、第２領域３４Ｂと第４領域３４Ｄとが重なるが、第２領域３４Ｂと第４領域３４Ｄの長さが異なることも多くなる。このような場合には、カッタにより切断して第２領域３４Ｂと第４領域３４Ｄの長さを揃え、おむつ１０の股下の脚回り開口部１０Ｌを構成する。
なお、図８（ｂ）において、前身頃用シート体３１と後身頃用シート体３２との関係を逆にし、図中右側を前身頃用シート体３１とし、左側を後身頃用シート体３２としてもよい。
【００４０】
・図８（ｃ）に示すように、前身頃用シート体３１における第３領域３４Ｃと第４領域３４Ｄとを折り曲げられず真っ直ぐな状態にし、後身頃用シート体３２における第１領域３４Ａと第２領域３４Ｂも折り曲げられず真っ直ぐな状態にしてもよい。この場合、第２領域３４Ｂと第４領域３４Ｄとが重なる。吸収性本体１１に対して近い側に位置する前身頃用シート体３１の第４領域３４Ｄは、吸収性本体１１に対して離れた側に位置する後身頃用シート体３２の第１領域３４Ａに対して重ならないようにする必要がある。また、第２領域３４Ｂは、第３領域３４Ｃと重なっていてもよい。そして、前身頃用シート体３１と後身頃用シート体３２とが重ねられた場合において、第２領域３４Ｂの先端部と第４領域３４Ｄの先端部が揃うときには、第２領域３４Ｂおよび第４領域３４Ｄの長さがおむつ１０の股下の長さとなる。第２領域３４Ｂの先端部と第４領域３４Ｄの先端部が揃わないときには、カッタで切断して長さを揃えればよい。
【００４１】
・図８（ｄ）に示すように、前身頃用シート体３１と後身頃用シート体３２とは、別々のシート体ではなく、１枚のシート体３６であってもよい。この場合、図中左側を前身頃用シート部３６Ａとし、右側を後身頃用シート部３６Ｂとしている。シート体３６は、前身頃用シート部３６Ａと後身頃用シート部３６Ｂとを備えており、中央部において、２度、折り返された状態とされている。これにより、前身頃用シート部３６Ａには、折り返し部分に、第４領域３４Ｄとが構成され、後身頃用シート部３６Ｂには、折り返し部分に、第２領域３４Ｂとが構成される。そして、図中右側の折り返しを切断することによって、図８（ａ）と同様な状態とすることができる。
【００４２】
・図５に示した製造方法による場合、吸収性本体１１の前側接着領域１７と後側接着領域１８とは、股下接着領域２１を備えていなくてもよい。また、スリット１０Ｓを備えていなくてもよい。
・着用物品としては、おむつカバーなどであってもよい。おむつカバーは、前身頃シートと後身頃シートとが不織布シートなどで構成された股下シート体などの股下形成部材で構成されている。そして、股下形成部材に対して、取り替え可能な尿パッドなどの吸収性物品が取り付けられる。
・股下接着領域２１は、前側接着領域１７および後側接着領域１８の何れか一方に設けられているだけでもよい。
・おむつ１０において、後側接着領域１８は、前側接着領域１７の面積と同じであってもよいし、前側接着領域１７の面積よりも小さくてもよい。
おむつ１０には、スリット１０Ｓや股下接合部１０Ｉを割愛してもよい。
・吸収性物品は、テープ型のおむつであってもよいし、また、幼児用おむつであってもよいし、成人用おむつであってもよい。
【符号の説明】
【００４３】
１０…おむつ、１０Ａ…胴回り開口部、１０Ｃ…脚回り被覆部、１０Ｆ…前身頃シート、１０Ｉ…股下接合部、１０Ｊ…サイド接合部、１０Ｌ…脚回り開口部、１０Ｒ…後身頃シート、１０Ｓ…スリット、１０Ｗ…胴回り部、１１…吸収性本体、１２Ｄ…下部弾性部材、１２Ｌ…弾性部材、１２Ｕ…上部弾性部材、１３…トップシート、１４…吸収体、１５…バックシート、１７…前側接着領域、１８…後側接着領域、１９…股下領域、２０…股下非接着領域、２１…股下接着領域、２９…折曲部、３１…前身頃用シート体、３２…後身頃用シート体、３３…接着剤、３４Ａ…第１領域、３４Ｂ…第２領域、３４Ｃ…第３領域、３４Ｄ…第４領域、３５…境界部、３６…シート体、３６Ａ…前身頃用シート部、３６Ｂ…後身頃用シート部。
【図１】
0006690388.tif 000002
【図２】
0006690388.tif 000003
【図３】
0006690388.tif 000004
【図４】
0006690388.tif 000005
【図５】
0006690388.tif 000006
【図６】
0006690388.tif 000007
【図７】
0006690388.tif 000008
【図８】
0006690388.tif 000009